(57)【要約】【課題】包装箱本体に対する蓋用板の抜け止めを、簡単な作業で実現できる包装箱を提供する。【解決手段】包装箱１は、背面板紙１１、正面板紙１２、天面板紙１３および成型用板紙１４を折り曲げて形成される三角筒状の包装箱本体４と、包装箱本体４の端部に形成される開口３５を閉塞するための蓋用板紙１８とを含む。蓋用板紙１８には、角部２３に整合する形状に形成された第１の切り込み２１が形成されている。蓋用板紙１８が、第１の切り込み２１によって、角部２３に対応する位置に設けられる舌片３７と、舌片３７に対向する第１の内側辺３８ａを有し、舌片３７の周囲を取り囲む外側領域３８とに区画される。天面板紙１３の側辺１３ａには、三角形状の係合突起３６が立設されている。角部２３に蓋用板紙を押し込むことにより、係合突起３６と第１の内側辺３８ａとが係合する。【選択図】図７
2019043659.tif 000002
【特許請求の範囲】
【請求項１】
所定の形状の板ブランクが折り曲げられて形成され、商品を包装するための包装箱であって、
所定の一方向に並ぶ第１の板、第２の板および第３の板の少なくとも３枚の板を、折り曲げて形成される筒状の包装箱本体と、
前記包装箱本体の端部に形成される開口を閉塞するための蓋用板であって、前記第１の板に折り線を介して連設され、前記折り線に沿って折り曲げることにより、前記開口を閉塞する蓋用板とを含み、
前記蓋用板には、前記蓋用板によって前記開口を閉塞したときに、互いに所定の角度をなす前記第２の板および前記第３の板の側辺同士によって形成される角部に対応する位置に、前記角部に整合する形状に形成された凹所が形成されており、
前記蓋用板が、前記凹所によって、
前記角部に対応する位置に設けられる舌片と、
前記舌片に対向する内側辺を有し、前記舌片の周囲を取り囲み、かつ前記前記舌片に繋がる外側部材とに区画されており、
前記少なくとも３枚の板のうち、前記第２の板の端縁および前記第３の板の端縁の少なくとも一方に設けられた係合突起をさらに含み、
前記角部に前記蓋用板を押し込むことにより、前記係合突起と、前記外側領域の前記内側辺とが係合する、包装箱。
【請求項２】
前記凹所が、前記角部に整合する形状に形成された第１の切り込みを含む、請求項１に記載の包装箱。
【請求項３】
前記第２の板に折り線を介して連設されたフラップ板をさらに含み、
前記係合突起が、前記第２の板における前記フラップ板との間の前記折り線を起点および終点とて形成される第２の切り込みによって実現されている、請求項１または２に記載の包装箱。
【請求項４】
前記係合突起が、三角形状をなしている、請求項１〜３のいずれか一項に記載の包装箱。
【請求項５】
前記包装箱本体が、三角筒状をなしている、請求項１〜４のいずれか一項に記載の包装箱。
【発明の詳細な説明】
【技術分野】
【０００１】
この発明は、商品を包装するための包装箱、とくに、板ブランクが折り曲げられて形成された包装箱に関する。
【背景技術】
【０００２】
下記特許文献１には、包装箱が開示されている。この包装箱では、包装箱本体に形成された開口が蓋板によって閉塞される。係止突起が蓋板に形成されており、包装箱本体に係止凹部が設けられている。蓋板によって開口を閉塞した状態で、係止突起と係止凹部とが嵌合することにより、包装箱本体に対して蓋板が閉状態で抜け止めされる。
【先行技術文献】
【特許文献】
【０００３】
【特許文献１】特開２００８‐２９７００６号公報
【発明の概要】
【発明が解決しようとする課題】
【０００４】
特許文献１に係る包装箱では、係止突起と係止凹部との嵌合させることにより抜け止めを達成している。しかしながら、係止突起と係止凹部との嵌合作業は煩雑である。そのため、本願発明者は、係止突起と係止凹部とを嵌合させないで、包装箱本体に対する蓋用板（蓋板）の抜け止めを、簡単な作業で実現することを検討している。
そこで、この発明の一つの目的は、包装箱本体に対する蓋用板の抜け止めを、簡単な作業で実現できる包装箱を提供することである。
【課題を解決するための手段】
【０００５】
前記の目的を達成するための請求項１に記載の発明は、所定の形状の板ブランクが折り曲げられて形成され、商品を包装するための包装箱であって、所定の一方向に並ぶ第１の板、第２の板および第３の板の少なくとも３枚の板を、折り曲げて形成される筒状の包装箱本体と、前記包装箱本体の端部に形成される開口を閉塞するための蓋用板であって、前記第１の板に折り線を介して連設され、前記折り線に沿って折り曲げることにより、前記開口を閉塞する蓋用板とを含み、前記蓋用板には、前記蓋用板によって前記開口を閉塞したときに、互いに所定の角度をなす前記第２の板および前記第３の板の側辺同士によって形成される角部に対応する位置に、前記角部に整合する形状に形成された凹所が形成されており、前記蓋用板が、前記凹所によって、前記角部に対応する位置に設けられる舌片と、前記舌片に対向する内側辺を有し、前記舌片の周囲を取り囲み、かつ前記前記舌片に繋がる外側部材とに区画されており、前記少なくとも３枚の板のうち、前記第２の板の端縁および前記第３の板の端縁の少なくとも一方に設けられた係合突起をさらに含み、前記角部に前記蓋用板を押し込むことにより、前記係合突起と、前記外側領域の前記内側辺とが係合する、包装箱を提供する。
【０００６】
請求項２に記載の発明は、前記凹所が、前記角部に整合する形状に形成された第１の切り込みを含む、請求項１に記載の包装箱である。
請求項３に記載の発明は、前記第２の板に折り線を介して連設されたフラップ板をさらに含み、前記係合突起が、前記第２の板における前記フラップ板との間の前記折り線を起点および終点として形成される第２の切り込みによって実現されている、請求項１または２に記載の包装箱である。
【０００７】
請求項４に記載の発明は、前記係合突起が、三角形状をなしている、請求項１〜３のいずれか一項に記載の包装箱である。
請求項５に記載の発明は、前記包装箱本体が、三角筒状をなしている、請求項１〜４のいずれか一項に記載の包装箱である。
この発明によれば、蓋用板における角部に対応する位置に、角部に整合する形状に凹所が形成されることにより、舌片と外側領域とが区画される。舌片と外側領域とが一枚の紙板を用いて形成されており、かつ舌片と外側領域とがつながっているため、舌片と外側領域とが相対的に弾性変形可能である。
【０００８】
蓋用板を角部に宛がった状態で蓋用板を押し込むと、舌片が角部に当たってそれ以上押し込むことができず、外側領域が、内側領域に対し弾性変形して、押し込み方向に進出する。このとき、外側領域の内側辺が、角部に設けられている係合突起を乗り越える。押し込み動作をやめた後は、外側領域が元の形状に復元する。このとき、係合突起と内側辺とが係合する。これにより、包装箱本体に対する蓋用板の抜け止めが達成される。蓋用板の角部への押し込み動作における外側領域の戻り動作によって係合突起と内側辺とを係合させるので、係合突起と内側辺との係合を簡単な作業で実現できる。ゆえに、包装箱本体に対する蓋用板の抜け止めを、簡単な作業で実現できる。
【図面の簡単な説明】
【０００９】
【図１】図１は、この発明の一実施形態に係る包装箱の第１の使用状態の外観斜視図である。
【図２】図２は、前記包装箱の第２の使用状態の外観斜視図である。
【図３】図３は、前記包装箱の第２の使用状態の正面図である。
【図４】図４は、前記包装箱の展開図である。
【図５】図５は、前記包装箱の折り畳み状態の断面図である。
【図６】図６は、前記包装箱の組み立てを説明するための斜視図である。
【図７】図７は、前記包装箱の組み立てを説明するための斜視図である。
【図８】図８は、前記包装箱の組み立てを説明するための斜視図である。
【図９】図９は、この発明の第１の変形例を説明するための図である。
【図１０】図１０は、この発明の第２〜第４の変形例を説明するための図である。
【発明を実施するための形態】
【００１０】
以下には、図面を参照して、この発明の実施形態について具体的に説明をする。
図１は、この発明の一実施形態に係る包装箱１の第１の使用状態の外観斜視図である。図２は、包装箱１の第２の使用状態の外観斜視図である。図３は、包装箱１の第２の使用状態の正面図である。図４は、包装箱１の展開図（すなわち、包装箱１として組み立てられる前の板紙ブランク２の平面図）である。
【００１１】
図１〜図４を参照して説明すると、包装箱１は、所定の形状に打ちぬかれた図４に示す板紙ブランク（板ブランク）２が折り曲げられることにより形成される。包装箱１は、菓子などの個装商品３を複数個収容して流通する。包装箱１は、小売店の店頭において、第１の使用状態（たとえば図１に示すような吊り下げ状態）で販売される。個装商品３が取り出され（その後、消費された）後には、購入者が、図２および図３に示すように、飾り台（化粧箱）として使用する。この状態を第２の使用状態とする。包装箱１は、三角筒状の包装箱本体４と、包装箱本体４の両端に形成される開口を閉塞するための矩形の蓋５とを含む。包装箱本体４を三角筒状としたのは、個装商品３が三角柱状の商品であるためにそれに合わせたものである。包装箱本体４が三角筒状であるのに、蓋５が矩形であるのは、包装箱１を、飾り台（化粧箱）として二次使用するためである。
【００１２】
第２の使用状態では、図３に示すように、包装箱１が水平な床面の上に載置された状態で、天面１ｃが水平面とされている。また、包装箱１の下端縁１ｅが床面と、所定の間隔Ｎを隔てて設けられている。
図４に示すように、板紙ブランク２では、包装箱１の背面１ａを形成する背面板紙（第３の板）１１、包装箱１の正面１ｂを形成する正面板紙（第２の板）１２、包装箱１の天面１ｃを形成する天面板紙（第１の板）１３、および包装箱１の背面１ａを成型（補強）する成型用板紙１４が、折り線１５を介して横方向に連なっている。背面板紙１１、正面板紙１２、天面板紙１３および成型用板紙１４は、それぞれ矩形状をなしている。図４についての説明では、図４の上下左右を、包装箱１の上下左右として説明する。
【００１３】
板紙ブランク２は、正面板紙１２の上辺および下辺から、それぞれ、折り線１６を介して上方および下方へ連設された一対の第１のフラップ板紙（プラップ板）１７と、天面板紙１３の上辺および下辺から、それぞれ、折り線１６を介して上方および下方へ伸びるように連設された、長方形状の一対の蓋用板紙（蓋用板）１８と、成型用板紙１４の上辺および下辺から、それぞれ、折り線１６を介して上方および下方へ連設された一対の第２のフラップ板紙１９とをさらに含む。
【００１４】
背面板紙１１、正面板紙１２、天面板紙１３、成型用板紙１４、第１のフラップ板紙１７、蓋用板紙１８および第２のフラップ板紙１９を構成する板紙は、紙器用板紙である。この実施形態では、板紙は、本発明に係る係合突起３６と凹部との弾性係合（後述する）や、包装箱１としての強度の兼ね合いから、坪量が１８０ｇ／ｍ２以上のコート紙であることが好ましい。さらには、板紙は、２７０ｇ／ｍ２以上３５０ｇ／ｍ２以下のコート紙であることが好ましい。
【００１５】
各蓋用板紙１８には、凹部としての、略Ｌ字状をなす第１の切り込み２１が形成されている。第１の切り込み２１は、後述する角部２３（正面板紙１２および背面板紙１１の側辺１２ａ，１１ａ同士によって形成される角部２３）に対応する位置に形成されている。また、各第１の切り込み２１は、包装箱本体４の組み立て後における、角部２３に整合する形状に形成されている。具体的には、第１の切り込み２１は、包装箱１の組み立て後において正面板紙１２の側辺１２ａに対応する第１の直線部２４と、背面板紙１１の側辺１１ａに対応する第２の直線部２５とを一体に有している。
【００１６】
蓋用板紙１８が、第１の切り込み２１によって、舌片３７と、舌片３７の周囲を取り囲み、かつ舌片３７に繋がる四角環状の外側領域３８とに区画されている。舌片３７と外側領域３８とが一枚の紙板を用いて形成されており、かつ舌片３７と外側領域３８とがつながっているため、舌片３７と外側領域３８とが相対的に弾性変形可能である。外側領域３８の第１の内側辺３８ａは、包装箱１の組み立て後において正面板紙１２の側辺１２ａに沿う側辺であり、舌片３７と紙板方向に対向している。また、外側領域３８の第２の内側辺３８ｂは、包装箱１の組み立て後において背面板紙１１の側辺１１ａに沿う側辺であり、舌片３７と紙板方向に対向している。
【００１７】
正面板紙１２には、上下の各側辺１２ａに、横転Ｌ字状の第２の切り込み２２が形成されている。各第２の切り込み２２は、折り線１６付近で、かつ背面板紙１１寄りの領域に形成されている。各第２の切り込み２２は、折り線１６を起点２６および終点２７としている。第２の切り込み２２は、起点２６から、反対側の側辺１２ａに向かうに従って（上方または下方に向かうに従って）天面板紙１３側に傾斜して延びる第３の直線２８と、第３の直線２８の終端から、当該側辺１２ａに向かうに従って（下方または上方に向かうに従って）天面板紙１３側に傾斜して延びる第４の直線２９とを含む。第４の直線２９の終点が、終点２７である。第３の直線２８と第４の直線２９との交点３０と、起点２６と終点２７とを結ぶ直線との間の距離Ｄは、たとえば１ｍｍである。また、第３の直線２８と、起点２６と終点２７とを結ぶ直線とがなす角度θ１は、たとえば約７０°であり、第４の直線２９と、起点２６と終点２７とを結ぶ直線とがなす角度θ２は、たとえば約２０°である。第１のフラップ板紙１７を折り線１６に沿って折り曲げることにより、第２の切り込み２２が天面板紙１３に対して立ち上がり、係合突起３６が形成される。
【００１８】
背面板紙１１には、上下に延びる谷折り線３１が形成されている。谷折り線３１に沿って背面板紙１１を２つ谷折りすることができる。背面板紙１１の右側約１/３の領域は、包装箱１の組み立て状態において、天面板紙１３から上方（図２および図３における上方）に突出し、背板６を構成している。
図５は、包装箱１の折り畳み状態を示す断面図である。図４に示す展開図の状態から、背面板紙１１、正面板紙１２、天面板紙１３、成型用板紙１４が折り線１５に沿って折り曲げられ、背面板紙１１が谷折り線３１に沿って折り曲げられ、かつ重複する背面板紙１１の横方向の端部と、成型用板紙１４の途中部とに設けられた糊付け部３２同士が糊付けされることにより、図５に示すように、折り畳み状態の包装箱１が形成される。蓋用板紙１８によって蓋５が形成される。
【００１９】
図６〜図８は、包装箱１の組み立てを説明するための斜視図である。
図５に示す状態から、谷折りにされている背面板紙１１を伸ばし、かつ成型用板紙１４を背面板紙１１と共に起こすことにより、図６に示すように、包装箱本体４が三角筒状に組み立てられる。これにより、３つの板紙１１〜１３の側辺によって、一対の開口３５が形成される。また、正面板紙１２の、背面板紙１１寄りの側辺１２ａ、および背面板紙１１の、正面板紙１２寄りの側辺１１ａ同士によって、角部２３が形成される。角部２３において、正面板紙１２および背面板紙１１のなす角度は、たとえば７０°である。その後、図６に示すように、第１のフラップ板紙１７および第２のフラップ板紙１９を折り線１６に沿って折り曲げる。第１のフラップ板紙１７を折り線１６に沿って折り曲げることにより、第２の切り込み２２が天面板紙１３に対して立ち上がり、正面板紙１２の背面板紙１１寄りの側辺１２ａに、三角形状の係合突起３６が立設される。
【００２０】
次いで、開口３５を閉塞すべく、蓋用板紙１８を折り線１６に沿って折り曲げる。そして、蓋用板紙１８を角部２３に宛がう。この状態で蓋用板紙１８（その外側領域３８）を、その折り曲げ方向（押し込み方向）に押し込むと、第２の切り込み２２によって区画された舌片３７が角部２３に当たってそれ以上押し込むことができず、外側領域３８が、舌片３７に対し弾性変形して、押し込み方向に進出する。この押し込みに伴って、図７に示すように、外側領域３８の第１の内側辺３８ａが、正面板紙１２の側辺１２ａに立設されている係合突起３６を乗り越える。押し込み動作をやめた後は、外側領域３８が元の形状に復元する。このとき、係合突起３６と、外側領域３８の第１の内側辺３８ａとが係合する。そして、それ以降、図８に示すように、外側領域３８の復元力（弾性力）により、係合突起３６と第１の内側辺３８ａとの係合が維持される。これにより、包装箱本体４に対する蓋用板紙１８の抜け止めが達成される。
【００２１】
以上によりこの実施形態によれば、蓋用板紙１８における角部２３に対応する位置に、角部２３に整合する形状に第１の切り込み２１が形成されることにより、舌片３７と外側領域３８とが区画される。舌片３７と外側領域３８とが一枚の紙板を用いて形成されており、かつ舌片３７と外側領域３８とがつながっているため、舌片３７と外側領域３８とが相対的に弾性変形可能である。
【００２２】
蓋用板紙１８を角部２３に宛がった状態で蓋用板紙１８を押し込むと、舌片３７が角部２３に当たってそれ以上押し込むことができず、外側領域３８が、舌片３７に対し弾性変形して、押し込み方向に進出する。このとき、外側領域３８の第１の内側辺３８ａが、角部２３に設けられている係合突起３６を乗り越える。押し込み動作をやめた後は、外側領域３８が元の形状に復元する。このとき、係合突起３６と第１の内側辺３８ａとが係合する。これにより、包装箱本体４に対する蓋用板紙１８の抜け止めが達成される。蓋用板紙１８の角部２３への押し込み動作における外側領域３８の戻り動作によって係合突起３６と第１の内側辺３８ａとを係合させるので、係合突起３６と第１の内側辺３８ａとの係合を簡単な作業で実現できる。ゆえに、包装箱本体４に対する蓋用板紙１８の抜け止めを、簡単な作業で実現できる。
【００２３】
また、第２の切り込み２２によって舌片３７と外側領域３８とが区画されるので、凹所をより簡単に設けることができる。併せて、舌片３７と外側領域３８との間の弾性支持力を高く保つことができ、これにより、外側領域３８が舌片に対して変形するときの弾性力（復元力）を高く保つことができ、係合突起３６と第１の内側辺３８ａとの係合を強固に保ち続けることができる。これにより、係合突起３６の第１の内側辺３８ａからの抜け止めを強固に図ることができる。ゆえに、簡単に係合させることができ、かつ係合後は解除され難くすることができる。
【００２４】
以上、この発明の一実施形態について説明したが、この発明は他の形態で、実施することもできる。
たとえば蓋用板紙１８に設けられる凹所として、第１の切り込み２１に代えて、図９に示すように、溝１２１を形成してもよい。溝１２１は、打ち抜きによって形成されている。この場合、溝１２１は、角部２３（図６等参照）に対応する位置に形成されている。また、溝１２１は、包装箱本体４の組み立て後における、角部２３に整合する形状に形成されている。溝１２１は、包装箱１の組み立て後において正面板紙１２の側辺１２ａ（図６等参照）に対応する第５の直線部１２４と、背面板紙１１の側辺１１ａ（図６等参照）に対応する第６の直線部１２５とを一体に有している。
【００２５】
蓋用板紙１８が、溝１２１によって、舌片１３７と、舌片１３７の周囲を取り囲み、かつ舌片１３７に繋がる四角環状の外側領域１３８とに区画されている。舌片１３７と外側領域１３８とが一枚の紙板を用いて形成されており、かつ舌片１３７と外側領域１３８とがつながっているため、舌片１３７と外側領域１３８とが相対的に弾性変形可能である。外側領域１３８の第１の内側辺１３８ａは、包装箱１の組み立て後において正面板紙１２の側辺１２ａに沿う側辺であり、舌片１３７と紙板方向に対向している。角部２３に蓋用板紙１８を押し込むことにより、係合突起３６と第１の内側辺１３８ａとが係合する。
【００２６】
また、正面板紙１２と背面板紙１１とによって形成される角部２３が、鋭角をなしておらず、直角をなしていてもよい。この場合、包装箱本体４が四角筒状をなしている。第１の切り込み２１に含まれる第１および第２の直線部２４，２５も直角をなしている。
また、正面板紙１２と背面板紙１１とによって形成される角部２３が、鈍角をなしてい
てもよい。
【００２７】
また、前述の実施形態では、係合突起３６が角部２３の正面板紙１２の側辺１２ａにのみ設けられている構成を例に挙げたが、角部２３の背面板紙１１の側辺１１ａにも併せて係合突起３６が設けられていてもよい。そして、この後者の係合突起が、第２の内側辺３８ｂに係合するようになっていてもよい。
また、係合突起３６，１３６が背面板紙１１の側辺１１ａにのみ設けられていてもよい。
【００２８】
また、係合突起３６，１３６の形状として、三角形状を例に挙げたが、係合突起がこれ以外の形態をなしていてもよい。たとえば図１０（ａ）に示すように、係合突起３６Ａが矩形状をなしていてもよい。図１０（ａ）の例では、前述の実施形態に係る第２の切り込み２２に代えて第２の切り込み２２Ａが設けられている。第２の切り込み２２Ａは、起点２６Ａから、反対側の側辺１２ａに向けて、折り線１６と垂直に延びる直線２８Ａと、終点２７Ａから、反対側の側辺１２ａに向けて、折り線１６と垂直に延びる直線２９Ａと、直線２８Ａの終点と直線２９Ａの終点とを結び、折り線１６と並行に延びる直線３０Ａとを含む。第１のフラップ板紙１７を折り線１６に沿って折り曲げることにより、第２の切り込み２２Ａによって区画された部分が天面板紙１３に対して立ち上がり、矩形状の係合突起３６Ａが形成される。
【００２９】
また、図１０（ｂ）に示すように、係合突起３６Ｂが台形状（図１０（ｂ）の例では、等脚台形状）をなしていてもよい。図１０（ｂ）の例では、前述の実施形態に係る第２の切り込み２２に代えて第２の切り込み２２Ｂが設けられている。第２の切り込み２２Ｂは、起点２６Ｂから、反対側の側辺１２ａに向かうに従って（上方または下方に向かうに従って）天面板紙１３側に傾斜して延びる直線２８Ｂと、終点２７Ｂから、反対側の側辺１２ａに向かうに従って（上方または下方に向かうに従って）背面板紙１１側に傾斜して延びる直線２９Ｂと、直線２８Ｂの終点と直線２９Ｂの終点とを結び、折り線１６と並行に延びる直線３０Ｂとを含む。第１のフラップ板紙１７を折り線１６に沿って折り曲げることにより、第２の切り込み２２Ｂによって区画された部分が天面板紙１３に対して立ち上がり、台形状の係合突起３６Ｂが形成される。
【００３０】
さらに、図１０（ｃ）に示すように、係合突起３６Ｃが複数の係合突片３６Ｃａおよび３６Ｃｂを備えていてもよい。図１０（ｃ）の例では、前述の実施形態に係る第２の切り込み２２に代えて第２の切り込み２２Ｃが設けられている。第２の切り込み２２Ｃは、起点２６Ｃから略半円状を描き終点２７Ｃに達する切り込み２２Ｃａと、起点２６Ｄから略半円状を描き終点２７Ｄに達する切り込み２２Ｃｂとを含む。第１のフラップ板紙１７を折り線１６に沿って折り曲げることにより、切り込み２２Ｃａによって区画された部分、および切り込み２２Ｃｂによって区画された部分のそれぞれが天面板紙１３に対して立ち上がり、略横転Ｂ字形状の係合突起３６Ｃが形成される。
【００３１】
終点２７Ｃと起点２６Ｄとは、図１０（ｃ）に示すように一致していてもよいし、終点２７Ｃと起点２６Ｄとが間隔を空けて設けられていてもよい。各切り込み２２Ｃａ，２２Ｃｂが半円状でなく、複数の直線から構成されていてもよい。
また、前述の実施形態では、第１の板、第２の板および第３の板を、それぞれ、天面板紙１３、正面板紙１２および背面板紙１１として説明したが、包装箱１は、第１および第２の使用態様以外でも、さまざまな姿勢で使用可能である。
【００３２】
また、背面板紙１１、正面板紙１２、天面板紙１３、成型用板紙１４、第１のフラップ板紙１７、蓋用板紙１８および第２のフラップ板紙１９等の板を、紙板を用いて形成するとして説明したが、これらの板が、樹脂板（より具体的には、たとえば塩ビ、ポリエチレン（ＰＥ）、ポリプロピレン（ＰＰ）、ポリエチレンテフタレート（ＰＥＴ）等を用いて形成された透明樹脂板）、段ボール原紙、雑板紙等、板紙以外の板を用いて形成されていてもよい。
【００３３】
また、包装箱１が菓子等以外の食品を収容することもできる。この場合、包装箱１が電子レンジ対応である場合には、電子レンジの内部において、第２の使用状態で包装箱１を載置することができる。この状態では、図３に示すように、包装箱１の下端縁１ｅが床面（すなわち、電子レンジ内の床面）と間隔Ｎを隔てて設けられている。
この場合、包装箱１の底部（下端縁１ｅ）を床面から浮かすことができ、包装箱１の底部の下を、電磁波を通過させることができる。これにより、包装箱１に収容されている食品を、電子レンジによって良好に加熱することができる。
【００３４】
また、背板６を設けないようにしてもよい。この場合、包装箱１の組み立て状態において、天面板紙１３から背板６が上方（図２および図３における上方）に突出しないように背面板紙１１の寸法が調整される。
また、包装箱が食品以外の物品を収容するものであってもよい。
その他、特許請求の範囲に記載された事項の範囲で種々の設計変更を施すことが可能で
ある。
【符号の説明】
【００３５】
１      ：包装箱
１ａ    ：背面
１ｂ    ：正面
１ｃ    ：天面
２      ：板紙ブランク（板ブランク）
４      ：包装箱本体
１１    ：背面板紙（第３の板）
１１ａ  ：側辺
１２    ：正面板紙（第２の板）
１２ａ  ：側辺
１３    ：天面板紙（第１の板）
１５    ：折り線
１６    ：折り線
１７    ：第１のフラップ板紙（フラップ板）
１８    ：蓋用板紙（蓋用板）
２１    ：第１の切り込み（凹部）
２２    ：第２の切り込み
２３    ：角部
３５    ：開口
３６    ：係合突起
３７    ：舌片
３８    ：外側領域
１２１  ：溝（凹部）
１３８ａ：内側辺
１３７  ：舌片
１３８  ：外側領域
１３８ａ：内側辺
【図１】
2019043659.tif 000003
【図２】
2019043659.tif 000004
【図３】
2019043659.tif 000005
【図４】
2019043659.tif 000006
【図５】
2019043659.tif 000007
【図６】
2019043659.tif 000008
【図７】
2019043659.tif 000009
【図８】
2019043659.tif 000010
【図９】
2019043659.tif 000011
【図１０】
2019043659.tif 000012